【手続補正書】
【提出日】平成18年2月22日(2006.2.22)
【手続補正１】
【補正対象書類名】特許請求の範囲
【補正対象項目名】全文
【補正方法】変更
【補正の内容】
【特許請求の範囲】
【請求項１】
移動体通信網において１対多ポイントサービスを運用する方法であって、
１対多ポイントサービスに接続するための要求であって、要求を発する加入者の加入者識別子と、接続要求のなされる１対多ポイントサービスの１対多ポイントサービス識別子とを含む要求を、移動体端末から受信する工程（Ｓ１０）と、
接続要求のなされる１対多ポイントサービスの１対多ポイントサービス識別子と関連付けて、要求を発する加入者の加入者識別子を、保存する工程（Ｓ１１）と、
接続可能化処理を実行する工程（Ｓ１２）と、
１対多ポイントサービス及び１対多ポイントサービスのプロバイダに接続要求を発した、加入者の数を考慮に入れて、１対多ポイントサービスに対する会計処理(accounting)を行なう、前記移動体通信網の会計処理エンティティ（３６、８７）に、接続要求のなされた１対多ポイントサービスと併せて要求を発した加入者を特定する、会計処理情報を提供する工程（Ｓ１３）と、
を備えることを特徴とする方法。
【請求項２】
前記会計処理情報は、１対多ポイントサービスを特定することに加えて、加入者の数を特定し、前記特定された数は、前記１対多ポイントサービスに関連付けて現在保存されている、全ての又は所定の部分の加入者に対応することを特徴とする、請求項１に記載の方法。
【請求項３】
前記会計処理は、特定された加入者の数に基づくことを特徴とする、請求項２に記載の方法。
【請求項４】
前記会計処理は、請求(billing)と、特定された加入者の数の増加に伴って減少する請求金額表(billing tariff)とを含むことを特徴とする、請求項３に記載の方法。
【請求項５】
前記会計処理は、支払(payment)と、特定された加入者の数の増加に伴って増加する支払金額表(payment tariff)とを含むことを特徴とする、請求項３に記載の方法。
【請求項６】
前記会計処理は、送信されたデータ量に基づいても行なわれることを特徴とする、請求項１乃至５の何れかに記載の方法。
【請求項７】
前記会計処理は、移動体通信網から移動体端末に送信されたデータと、移動体端末から移動体通信網に送信されたデータとで、異なって行なわれることを特徴とする、請求項６に記載の方法。
【請求項８】
請求は、移動体通信網から移動体端末へと、移動体端末から移動体通信網への、何れか一方へ送信されたデータに対してのみ行なわれることを特徴とする、請求項７に記載の方法。
【請求項９】
前記接続可能化処理を行なった後に、サービス接続確認の受信を待ち（Ｓ１５、Ｓ１６）、前記会計処理情報は、前記サービス確認が受信されて初めて、前記会計処理エンティティに提供されることを特徴とする、請求項１乃至８の何れかに記載の方法。
【請求項１０】
複数の加入者識別子と、関連付けられた複数の１対多ポイントサービス識別子は、前記移動体通信網の、中央集中１対多ポイントサービスデータベース（８６）の中に保存されることを特徴とする、請求項１乃至９の何れかに記載の方法。
【請求項１１】
複数の１対多ポイントサービスの、分野ごとへの分類が提供され、前記会計処理情報は、１対多ポイントサービスの分野を特定し、１対多ポイントサービスへの前記会計処理は、特定された分野に基づいて行なわれることを特徴とする、請求項１乃至１０の何れかに記載の方法。
【請求項１２】
さらに、保存されている加入者識別子及び／又は１対多ポイントサービス識別子に関連付けて、１以上のカウンタ値(counter value)を保存する工程を含むことを特徴とする、請求項１乃至１１の何れかに記載の方法。
【請求項１３】
さらに、前記１以上のカウンタ値を、前記会計処理情報の一部として提供することを含むことを特徴とする、請求項１２に記載の方法。
【請求項１４】
前記１以上のカウンタ値は、
各々の保存された加入者識別子に関連付けられ、前記加入者からの要求を受信してから経過した時間を示す、時間カウンタ値と、
各々の保存された１対多ポイントサービス識別子に関連付けられ、前記１対多ポイントサービスを特定する最初の要求を受信してから経過した時間を示す、時間カウンタ値と、
各々の保存された加入者識別子に関連付けられ、前記加入者からの要求を受信してから発生した所定のイベントの数を示す、イベントカウンタ値と、
各々の保存された１対多ポイントサービス識別子に関連付けられ、前記１対多ポイントサービスを特定する最初の要求を受信してから発生した所定のイベントの数を示す、イベントカウンタ値と、
の中の１以上のものを含むことを特徴とする、請求項１２乃至１３の何れかに記載の方法。
【請求項１５】
前記接続可能化処理は、接続可能化信号を、サービス提供制御エンティティに送信することを含むことを特徴とする、請求項１乃至１４の何れかに記載の方法。
【請求項１６】
前記接続可能化処理は、１対多ポイントサービス接続要求を送信した移動体端末に対し、１以上の復号鍵を送信することを含むことを特徴とする、請求項１乃至１５の何れかに記載の方法。
【請求項１７】
個々の復号鍵は、
各々の保存された加入者識別子と、
各々の保存された１対多ポイントサービス識別子と、
関連付けて保存された、加入者識別子と１対多ポイントサービス識別子の各々の組と、
の中の１以上のものに基づいて提供されることを特徴とする、請求項１６に記載の方法。
【請求項１８】
前記１以上の復号鍵は、１対多ポイントサービスへの前記接続要求の受信に応じるときに動的に生成されることを特徴とする、請求項１６乃至１７の何れかに記載の方法。
【請求項１９】
前記移動体通信網に、通信可能な形で接続された、データ処理装置に、取り込まれ、実行されたときに、請求項１乃至１８の何れかに記載の方法を執り行うように作られたことを特徴とする、コンピュータプログラム。
【請求項２０】
移動体通信網における会計処理装置であって、
１対多ポイントサービスへの要求を発した加入者を特定し、接続要求がなされた１対多ポイントサービスを特定する、会計処理情報を受信する、受信部と、
１対多ポイントサービス及び１対多ポイントサービスのプロバイダに接続要求を発した、加入者の数を考慮に入れて、会計処理情報の中で特定された、１対多ポイントサービスに対し、会計処理を行なうプロセッサとを備え、
前記プロセッサは、前記会計処理情報が、前記１対多ポイントサービスに関連付けて１対多ポイントサービスデータベースエンティティに現在保存されている、全ての又は所定の部分の加入者に対応する、加入者の数を示す場合に、前記会計処理が、加入者の数に基づいてなされるように設けられている、
ことを特徴とする、会計処理装置。
【請求項２１】
請求項２０に記載の会計処理装置であって、前記１対多ポイントサービスデータベースエンティティは、
１対多ポイントサービスに接続するための要求であって、要求を発する加入者の加入者識別子と、接続要求がなされる１対多ポイントサービスの１対多ポイントサービス識別子を含む要求を、移動体端末から受信する、受信部と、
接続要求がなされる１対多ポイントサービスの１対多ポイントサービス識別子と関連付けて、要求を発する加入者の加入者識別子を保存する、メモリと、
前記移動体通信網における会計処理エンティティに、接続要求がなされた１対多ポイントサービスと併せて、接続要求を発した加入者を特定する、会計処理情報を提供する、プロセッサと、
を備えることを特徴とする、会計処理装置。